(57)【要約】      （修正有）【課題】携帯端末を構成するパネル内の狭いフットプリントに比較的数多くの小さいキーパッドを有するコンパクトな携帯端末のキー操作性を向上させる。【解決手段】小さいキーパッドに指先を合わせ易くするために目印を設ける。ひし形キーパッドの場合にはその対角線が従来の長方形の辺の長さよりも長いことを利用するものである。従来の長方形キーパッドを４５度回転させたひし形キーパッドの対角線を使用者の二つの目線に対して水平と垂直に置くようにすると、指をキーパッドに合わせる時の合わせ易さが飛躍的に向上できる。更に合わせ易くする目的で目印をひし形キーパッドの４つの角に設ける。従来の長方形のキーパッドでは、目印はキーパッドの４辺の中央部に設けることにより合わせ易さが向上する。【選択図】図２Ａ
2010040022.tif 000002
【特許請求の範囲】
【請求項１】
少なくとも複数のキーパッドを含むキーボード及びもしくはタッチパネルで構成される一の入力装置、液晶及びもしくはタッチパネルで構成される一のディスプレイ装置を有する直方体状携帯端末において、
該複数のキーパッドを少なくとも一種類のひし形キーパッドで構成する手段と該ひし形キーパッドを構成する４つの角の近傍には位置合わせのための手段が講ぜられていること、
特徴とする携帯端末。
【請求項２】
請求項１において、
該位置合わせの手段は線印およびもしくは矢印であること、
特徴とする携帯端末。
【請求項３】
請求項１において、
該位置合わせの手段は該ひし形キーパッドの角を漸次テーパ状に削り込んだこと、
特徴とする携帯端末。
【請求項４】
少なくとも複数のキーパッドを含むキーボード及びもしくはタッチパネルで構成される一の入力装置、液晶及びもしくはタッチパネルで構成される一のディスプレイ装置を有する直方体状携帯端末において、
該複数のキーパッドを少なくとも一種類の長方形キーパッドで構成する手段と該長方形キーパッドを構成する４つの辺の中央近傍には位置合わせのための手段が講ぜられていること、
特徴とする携帯端末。
【請求項５】
請求項４において、
該位置合わせの手段は線印およびもしくは矢印であること、
特徴とする携帯端末。
【請求項６】
請求項４において、
該位置合わせの手段は該ひし形キーパッドの角を漸次テーパ状に削り込んだこと、
特徴とする携帯端末。
【発明の詳細な説明】
【技術分野】
【０００１】本発明は、無線音声電話用端末、電子メールのようなテキストデータ通信に使用されるインタネット用端末及びテレビ受像機、ビデオカメラ（静止画用及び動画用を含む）並びにビデオゲームにも適用出来る携帯端末に関する。
本発明は、特に携帯端末を構成するパネル内の狭いフットプリントに比較的数多くのキーパッドを有するコンパクトな携帯端末に関する。
【背景技術】
【０００２】  狭いフットプリントに比較的数多くのキーパッドを有するコンパトな携帯端末に有する問題点は隣接するキーパッドを同時打ちする可能性が大きいことである。その解決の方策として先に発明者は、周囲を別のキーパッドに取り囲まれたひし形形状を持つキーパッドがそれを操作する使用者の指先で合わせ易いことを見出して特許出願をした［特許文献１］。この文献は現在まだ未公開である。
この特許において発明者は、使用者がその指先をキーパッドに合わせる時には目印（手がかり）を基にすることに着目した。即ち、ひし形形状を持つキーパッドにおいてはひし形の４箇所の角が目印（手がかり）になることに着目した。この４箇所の角で構成されるひし形の対角線は、使用者の目に平行、垂直な方向に対応しており、対角線の長さがひし形の辺の長さに対して√２倍であることから、使用者が合わせ易い原理を見出している。
【特許文献１】ＰＣＴ／ＪＰ２００８／０５９２９１
【０００３】一方、ひし形形状を持つキーパッドで公開された文献としては［特許文献２〜４］がある。
［特許文献２］は、主に縦長で幅が狭い携帯端末に対応する、文字キーパッドの配置に関する。
野球のホームベース状の五角形をした文字キーパッドを横に２列並べて互いに五角形における鋭角部分を向き合わせて且つ相互にその鋭角部分が入れ込む様に配置する。この結果、２列に並べられた文字キーパッドは実際に使用者が使用する時には、それらを一列に並んだ時の感覚で文字キーパッドを操作できる。この文献には、上記目的に合致する他の形状として、三角形、ひし形の文字キーパッドについても記載がある。
［特許文献３］は、携帯端末の画面のスクロールを画面全体スクロールと行スクロールとに十字キーパッド全体に配備された、四つのキーパッド機能に関する。
この文献には、上記目的に合致する他の形状として十字キーパッド全体並びにその中に配備された四つのキーパッドの形状をひし形にしても良いとの記載がある。
［特許文献４］は、折り畳み式キーボードにおいて、キーボードの両面に配備されたひし形形状のキーパッドを、夫々のひし形形状キーパッドの隙間空間部にはめ込んで敷き詰めて収納する記載がある。
【特許文献２】特開平８−１３７５９３
【特許文献３】特開２００２−１４９３０１
【特許文献４】特開２００６−３１０８２
【発明の開示】
【発明が解決しようとする課題】
【０００４】  前記のように、ひし形形状のキーパッドは指先に合わせ易いが、実際に文字を入力する時にはまず、所望の文字のキーパッドをキーパッドに印字された文字を基にして見出してから、そのキーパッドに指先を近づけて指先を合わせる。この操作過程において、文字を非常に早く入力する時においては、特に、単語や文節を構成する言語文字の最初の文字に対応するキーパッドはひし形の形状を目印として合わせるが、後続の文字に対してはキーパッドに印字された文字だけを頼りにして指先を合わせる場合もあることがその後の実験結果で分かった。このような場合でも如何にできるだけ正確にキーパッドに指先を合わせるかが課題である。【０００５】上記した先行技術の中で［特許文献２］、［特許文献３］、［特許文献４］における課題は、以下の通りである。
これらの特許文献では、様々な形状のキーパッドに関る記載はあるが、これらの特許文献が目指している目的は、本願とは別の目的である。この結果、本願の目的である小さいフットプリントに充分の数のキーパッドを配備すること、更に詳しくは当該キーパッドの周辺がそれ自体と同じ文字用キーパッドおよびもしくは別の目的の文字や機能用キーパッドで取り囲まれた小さいキーパッドに如何に入力し易くすること、すなわち内側に配置された小さい面積のキーパッドに如何に例えば、使用者の指先を合わせ易くすること、の課題にはふれていないし、解決手段も開示していない。
本発明の目的は、使用者の指先を早く正確に所望のキーパッドに合わせることであり、これはひし形キーパッドに限らず、通常の方形のキーパッドにおいても適用できるようにする事である。
【課題を解決するための手段】
【０００６】前記した課題を解決するために、キーパッドと指先を合わせる目印をキーパッドに記載されている文字とは違った形でしかも直感的に分かり易い形で使用者特の眼に伝える手段を提供する。
この手段としては、キーパッドの目印部分に目立ち易い小さなマークや色を変えたマークを付けることである。また他の手段としては、キーパッドにテーパ状の削り込みを講じることである。
【本発明の効果】
【０００７】本発明によれば、ひし形文字キーパッドに早く且つ正確に指先を合わせることが可能になる。
本発明によれば、ひし形文字キーパッドだけではなくて通常の方形文字キーパッドに対しても使用者の指先を早く正確に所望のキーパッドに合わせることが可能になる。
【本発明を実施する最良の形態】
【０００８】以降に続く説明では、本発明を十分に理解してもらうため多くのことを細部にわたって明らかにすることにする。
しかしながら、これら特定の細部がなくても本発明が実施出来ることは、熟練した技術者にとっては自明である。他の例としては、良く知られた機構等については、本発明を不必要にぼかしてしまわないようにその詳細を示すことはしない、ことにする。
【実施例１】
【０００９】本発明の実施例１を図１、図２Ａを用いて説明する。
図１において、１は携帯端末、２は携帯端末１のキーボード、２Ａ、２Ｂ、２Ｃはキーボード２のひし形文字キーパッドである。２Ｄ、２Ｅ、２Ｆはキーボード２の外周機能キーパッド、２Ｈは外周符号キーパッドである。図１において、４は携帯端末１の表示デバイスであり、５は携帯端末１の十字キー（ポインテング・デバイス）、６は、携帯端末１のショートカット・アイコン・キーである。この携帯端末１の外形は長さが１１ｃｍ、幅が６ｃｍ、厚さが１０ｍｍである。文字キーパッドのＸ方向ピッチは約８ｍｍ、Ｙ方向ピッチは約６ｍｍである。【００１０】図１に示すように、文字キーパッドは全てひし形の形状をしていて縦方向に５段、横方向に６個もしくは５個配列していて、それらの周囲は文字キーおよびもしくは機能、符号キーパッドで取り囲まれている。また、図１に示すように、文字キーの配列はＱＷＥＲＴＹフォーマットのキーパッドの配列に類似している。
図１に示すように、外周キーパッドの大きさは、ひし形文字キーパッドのサイズとほぼ同等かそれよりも大きい。二つのひし形文字キーパッドが隣接する角の部分が、外周キーパッドの水平もしくは垂直方向のキーパッドに指を合わせる時の一方向の目印（手がかり）になる。【００１１】図２Ａは、文字キーパッド２Ｂの詳細図面である。同図において、７Ａ、７Ｂ、７Ｃ、７Ｄはこのキーパッドの位置合わせをガイドするマークである。８はこのキーパッドに印字された文字”Ｆ”である。
図１においては、ひし形文字キーパッド”Ｆ”にのみキーパッドの位置合わせをガイドするマークを付して示すが、他のひし形文字キーパッドにも位置合わせをガイドするマークを付すことは可能である。【００１２】図２Ａにおいて、７Ａ、７Ｂ、７Ｃ、７Ｄの線印マークは、使用者がこの文字キーパッド”Ｆ”８に指先を合わせ易くする目的で付したものである。使用者は、これらの線印マーク７Ａ、７Ｂ、７Ｃ、７Ｄがない場合にはひし形の頂点を目印として指先をこのキーパッドに合わせるが、線印マーク７Ａ、７Ｂ、７Ｃ、７Ｄがある方が早くて正確に合わせることができることが分かった。
【実施例２】
【００１３】この実施例２は、長方形キーパッドへ目印のマークを適用した例である。本発明の実施例２を図２Ｂで説明する。図２Ｂにおいて、３Ｂは、文字キーパッド”Ｆ”を表す。
図２Ｂにおいて、７Ｅ、７Ｆ、７Ｇ、７Ｈの線印マークは、使用者がこの文字キーパッド”Ｆ”８Ａに指先を合わせ易くする目的で付したものである。使用者は、これらの線印マーク７Ｅ、７Ｆ、７Ｇ、７Ｈがない場合には長方形の辺中央部に指先を合わせるが、線印マーク７Ｅ、７Ｆ、７Ｇ、７Ｈがある方が早くて正確に合わせることができることが分かった。【００１４】実施例１，２で共通の効果は、使用者の指先を目的とする文字キーパッドに早く正確に合わせることが出来ることである。【００１５】以上述べてきたように、目印のマークをキーパッドに付すことで使用者の指先を早く正確に所望のキーパッドに合わせることが可能になる。【００１６】本発明は、それについての模範的実施例として図示し、説明を行って来たけれども、前述したもの、及びそれの種々の部分に対しての省略や追加の様々な他の変形は、本発明の精神と技術範囲を逸脱することなく、ここに確立された技術によって理解出来ると考えられる。【００１７】更に、実施例１〜２は、文字キーパッド（ポインテング・デバイス）を中心に説明したが、アイコンのような図柄を主体としたキーパッドの選択にも適用できる。
【図面の簡単な説明】
【００１８】本発明は以下に詳細に示す説明と発明の実施例を示す図面類とにより完全に理解することが出来る。この実施例は発明に制限を加えることのためでなく説明と理解のために示すものである。【００１９】
【図１】外周キーパッドに取り囲まれたひし形文字キーパッドを持つ［特許文献１］の携帯端末の平面外観図において本発明の実施例を一部適用した図面である。
【図２Ａ】本発明を適用したひし形文字キーパッドの実施例である。
【図２Ｂ】本発明を適用した長方形文字キーパッドの実施例である。
【符号の説明】
【００２０】１        携帯端末
２        キーボード
２Ａ      ひし形文字キーパッド
２Ｂ      ひし形文字キーパッド
２Ｃ      ひし形文字キーパッド
２Ｄ      機能キーパッド
２Ｅ      機能キーパッド
２Ｆ      機能キーパッド
２Ｇ      変換機能キーパッド
２Ｈ      符号キーパッド
３Ｂ      長方形文字キーパッド
４        ディスプレイ（タッチパネルで入力も出来る）
５        十字キー（ポインテング・デバイス）
６        音声電話用ショート・カット・アイコン
７Ａ      目印マーク
７Ｂ      目印マーク
７Ｃ      目印マーク
７Ｄ      目印マーク
７Ｅ      目印マーク
７Ｆ      目印マーク
７Ｇ      目印マーク
７Ｈ      目印マーク
８        ひし形文字キーパッドに印字された文字
８Ａ      長方形形文字キーパッドに印字された文字
【図１】
2010040022.tif 000003
【図２Ａ】
2010040022.tif 000004
【図２Ｂ】
2010040022.tif 000005